【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】
物体からの光を接眼レンズを介して観察する観察光学系の視野に、所定の情報を表示するための表示光学系であって、
前記所定の情報を表示する表示手段と、
前記表示手段からの光を導く導光手段と、
前記導光手段によって導かれた光を前記物体からの光に重ね合わせる合成手段とを有し、
前記合成手段は、波長選択部を有し、前記接眼レンズ近傍または前記接眼レンズ内部に配置されており、
前記導光手段によって導かれた光は、前記合成手段内部で複数回全反射されることを特徴とする表示光学系。
【請求項２】
前記導光手段は、反射部材からなることを特徴とする請求項１に記載の表示光学系。
【請求項３】
前記合成手段の前記波長選択部は、前記接眼レンズの光軸とのなす角が４５°より大きくなるように配置されていることを特徴とする請求項１または請求項２に記載の表示光学系。
【請求項４】
前記合成手段は、前記観察光学系に対して屈折力を有しない光学プリズムからなることを特徴とする請求項１から請求項３のいずれか１項に記載の表示光学系。
【請求項５】
前記観察光学系における前記接眼レンズは、視度調節を行うレンズ群を有することを特徴とする請求項１から請求項４のいずれか１項に記載の表示光学系。
【請求項６】
前記合成手段は、前記視度調節を行うレンズ群よりも物体側に配置されることを特徴とする請求項５に記載の表示光学系。
【請求項７】
被写体からの光を接眼レンズを介して観察する観察光学系と、
前記観察光学系の視野に所定の情報を表示するための表示光学系とを有するファインダー光学系であって、
前記表示光学系は、所定の情報を表示する表示手段と、前記表示手段からの光を導く導光手段と、前記導光手段によって導かれた光を前記被写体からの光に重ね合わせる合成手段とを有し、
前記合成手段は、波長選択部を有し、前記接眼レンズ近傍または前記接眼レンズ内部に配置されており、
前記導光手段によって導かれた光は、前記合成手段内部で複数回全反射されることを特徴とするファインダー光学系。
【請求項８】
前記導光手段は、反射部材からなることを特徴とする請求項７に記載のファインダー光学系。
【請求項９】
前記合成手段の前記波長選択部は、前記接眼レンズの光軸とのなす角が４５°より大きくなるように配置されていることを特徴とする請求項７または請求項８に記載のファインダー光学系。
【請求項１０】
前記合成手段は、前記観察光学系に対して屈折力を有しない光学プリズムからなることを特徴とする請求項７から請求項９のいずれか１項に記載のファインダー光学系。
【請求項１１】
前記観察光学系における前記接眼レンズは、視度調節を行うレンズ群を有することを特徴とする請求項７から請求項１０のいずれか１項に記載のファインダー光学系。
【請求項１２】
前記合成手段は、前記視度調節を行うレンズ群よりも物体側に配置されることを特徴とする請求項１１に記載のファインダー光学系。
【手続補正２】
【補正対象書類名】明細書
【補正対象項目名】０００７
【補正方法】変更
【補正の内容】
【０００７】
【課題を解決するための手段】
上記課題を解決するために本発明は、
物体からの光を接眼レンズを介して観察する観察光学系の視野に、所定の情報を表示するための表示光学系であって、
前記所定の情報を表示する表示手段と、
前記表示手段からの光を導く導光手段と、
前記導光手段によって導かれた光を前記物体からの光に重ね合わせる合成手段とを有し、
前記合成手段は、波長選択部を有し、前記接眼レンズ近傍または前記接眼レンズ内部に配置されており、
前記導光手段によって導かれた光は、前記合成手段内部で複数回全反射されることを特徴とする表示光学系を提供する。
【手続補正３】
【補正対象書類名】明細書
【補正対象項目名】０００８
【補正方法】変更
【補正の内容】
【０００８】
また本発明の表示光学系の好ましい態様によれば、
前記導光手段は、反射部材からなることが望ましい。
また本発明の表示光学系の好ましい態様によれば、
前記合成手段の前記波長選択部は、前記接眼レンズの光軸とのなす角が４５°より大きくなるように配置されていることが望ましい。
また本発明の表示光学系の好ましい態様によれば、
前記合成手段は、前記観察光学系に対して屈折力を有しない光学プリズムからなることが望ましい。
また本発明の表示光学系の好ましい態様によれば、
前記観察光学系における前記接眼レンズは、視度調節を行うレンズ群を有することが望ましい。
また本発明の表示光学系の好ましい態様によれば、
前記合成手段は、前記視度調節を行うレンズ群よりも物体側に配置されることが望ましい。
【手続補正４】
【補正対象書類名】明細書
【補正対象項目名】０００９
【補正方法】変更
【補正の内容】
【０００９】
また、本発明は、
被写体からの光を接眼レンズを介して観察する観察光学系と、
前記観察光学系の視野に所定の情報を表示するための表示光学系とを有するファインダー光学系であって、
前記表示光学系は、所定の情報を表示する表示手段と、前記表示手段からの光を導く導光手段と、前記導光手段によって導かれた光を前記被写体からの光に重ね合わせる合成手段とを有し、
前記合成手段は、波長選択部を有し、前記接眼レンズ近傍または前記接眼レンズ内部に配置されており、
前記導光手段によって導かれた光は、前記合成手段内部で複数回全反射されることを特徴とするファインダー光学系を提供する。
【手続補正５】
【補正対象書類名】明細書
【補正対象項目名】００１０
【補正方法】変更
【補正の内容】
【００１０】
また本発明のファインダー光学系の好ましい態様によれば、
前記導光手段は、反射部材からなることが望ましい。
また本発明のファインダー光学系の好ましい態様によれば、
前記合成手段の前記波長選択部は、前記接眼レンズの光軸とのなす角が４５°より大きくなるように配置されていることが望ましい。
また本発明のファインダー光学系の好ましい態様によれば、
前記合成手段は、前記観察光学系に対して屈折力を有しない光学プリズムからなることが望ましい。
また本発明のファインダー光学系の好ましい態様によれば、
前記観察光学系における前記接眼レンズは、視度調節を行うレンズ群を有することが望ましい。
また本発明のファインダー光学系の好ましい態様によれば、
前記合成手段は、前記視度調節を行うレンズ群よりも物体側に配置されることが望ましい。
【手続補正６】
【補正対象書類名】明細書
【補正対象項目名】００１２
【補正方法】変更
【補正の内容】
【００１２】
また本発明において、合成手段は、波長選択部を有する。これにより、合成手段の生産性と耐久性とを向上させることができる。
合成手段において特に、接眼レンズの光軸とのなす角が４５°よりも大きくなるように波長選択部を配置することによって、表示手段からの光を合成手段内部で全反射させる構成とすることができる。これにより、接眼レンズの光軸方向における合成手段の厚みを小さくすることができ、合成手段の小型化をさらに容易に図ることができる。
【手続補正７】
【補正対象書類名】明細書
【補正対象項目名】００１３
【補正方法】変更
【補正の内容】
【００１３】
より好ましくは、接眼レンズの光軸とのなす角が６０°程度となるように波長選択部を配置することが望ましい。
接眼レンズの光軸と波長選択部とのなす角を６０°よりも大きくしすぎると、合成手段の小型化を図ることはできるものの、表示手段からの広い画角の光を合成手段によって物体からの光と合成することが困難になる。このため、観察光学系の視野の広範囲に所定の情報を表示することができなくなってしまう。
一方、接眼レンズの光軸と波長選択部とのなす角を６０°よりも小さくしすぎると、観察光学系の視野の広範囲に所定の情報を表示することはできるものの、接眼レンズの光軸方向での合成手段の厚みが大きくなる。このため、合成手段の小型化を図ることができなくなってしまう。
【手続補正８】
【補正対象書類名】明細書
【補正対象項目名】００１４
【補正方法】変更
【補正の内容】
【００１４】
したがって、接眼レンズの光軸と波長選択部とのなす角を６０°程度にすれば、観察光学系の視野の広範囲に所定の情報を表示することができ、かつ表示手段からの光を合成手段内部で全反射するように合成手段を構成することができる。この構成により、表示光学系において長い光路を確保することができるため、導光手段の屈折力を小さくすることができる。これにより、表示光学系における収差を良好にすることが容易となる。
【手続補正９】
【補正対象書類名】明細書
【補正対象項目名】００１５
【補正方法】変更
【補正の内容】
【００１５】
また本発明では、合成手段は、観察光学系に対して屈折力を有しない光学プリズムからなることが望ましい。これにより、合成手段の製造や、観察光学系内への合成手段の配置を容易に行うことができる。また、合成手段を観察光学系内へ容易に装脱可能な構成とすることも可能になる。